(57)【要約】  モバイル機器を設定する方法は、設定データが符号化された音声信号及び映像信号のうちの少なくとも１つをモバイル機器に近接するインターフェースユニットから受信する段階と、設定データに基づいてモバイル機器を設定する段階とを含む。別の態様では、本方法は、モバイル機器と通信ネットワークに接続されたインターフェースとの間のクライアント間の接続を開始する段階と、クライアント間の接続を介してインターフェースユニットから設定データを受信する段階と、設定データに基づいてモバイル機器を設定する段階とを含む。【選択図】図１
2007529956.tif 000002
【特許請求の範囲】
【請求項１】
モバイル機器を設定する方法であって、
設定データが符号化された音声信号及び映像信号のうちの少なくとも１つを前記モバイル機器に近接するインターフェースユニットから受信する段階と、
前記設定データに基づいて前記モバイル機器を設定する段階と、
を含む方法。
【請求項２】
前記モバイル機器の設定段階に応答して前記モバイル機器と通信ネットワークとの間の接続を開始する段階を更に含む請求項１に記載の方法。
【請求項３】
前記インターフェースユニットが前記通信ネットワークに接続されており、前記方法が更に、前記接続の開始段階に応答して前記モバイル機器から前記通信ネットワークを通じて前記インターフェースユニットに確認メッセージを送信する段階を含む請求項２に記載の方法。
【請求項４】
前記モバイル機器の設定段階に応答して前記モバイル機器のユーザに確認信号を供給する段階を更に含む請求項１に記載の方法。
【請求項５】
前記確認信号を供給する段階が、前記ユーザに可聴信号を供給する段階を更に含む請求項４に記載の方法。
【請求項６】
前記モバイル機器がスピーカを有するヘッドセットを備え、前記可聴信号をユーザに供給する段階が、前記スピーカを通して前記可聴信号を供給する段階を含む請求項５に記載の方法。
【請求項７】
前記モバイル機器がマイクロホンを有するヘッドセットを備え、前記方法が更に、前記マイクロホンを通じて前記音声信号を受信する段階を含む請求項１に記載の方法。
【請求項８】
前記モバイル機器がセンサを有するヘッドセットを備え、前記方法が更に、前記センサを通じて前記映像信号を受信する段階を含む請求項１に記載の方法。
【請求項９】
前記インターフェースユニットが前記設定データを表示するように適合されており、前記音声信号及び前記映像信号のうちの少なくとも１つを受信する段階が更に、前記設定データを含むユーザからの音声信号を受信する段階を含む請求項１に記載の方法。
【請求項１０】
通信ネットワークにアクセスするためにモバイル機器を設定する方法であって、
前記モバイル機器と前記通信ネットワークに結合されたインターフェースユニットとの間でクライアント間接続を開始する段階と、
前記クライアント間接続を介して前記インターフェースユニットから設定データを受信する段階と、
前記設定データに基づいて前記モバイル機器を設定する段階と、
を含む方法。
【請求項１１】
前記モバイル機器の設定段階に応答して前記モバイル機器と前記通信ネットワークとの間の接続を開始する段階を更に含む請求項１０に記載の方法。
【請求項１２】
前記モバイル機器と前記通信ネットワークとの間の接続の開始段階に応答して前記モバイル機器から前記通信ネットワークを通じて前記インターフェースユニットに確認メッセージを送信する段階を更に含む請求項１１に記載の方法。
【請求項１３】
前記モバイル機器の設定段階に応答して前記モバイル機器のユーザに確認信号を供給する段階を更に含む請求項１０に記載の方法。
【請求項１４】
前記確認信号を供給する段階が、前記ユーザに可聴信号を供給する段階を更に含む請求項１３に記載の方法。
【請求項１５】
前記モバイル機器がスピーカを有するヘッドセットを備え、前記可聴信号をユーザに供給する段階が、前記スピーカを通して可聴信号を供給する段階を含む請求項１４に記載の方法。
【請求項１６】
前記クライアント間の通信を開始する段階が更に、公開鍵を前記モバイル機器から前記インターフェースユニットに送信する段階を含み、前記設定データを受信する段階が更に、前記公開鍵で暗号化された設定データを受信する段階を含む請求項１０に記載の方法。
【請求項１７】
前記公開鍵に関連する秘密鍵を使用して前記公開鍵で暗号化された設定データを復号化する段階を更に含む請求項１６に記載の方法。
【請求項１８】
前記モバイル機器と関連する信号強度パラメータを測定する段階と、
所定の閾値を超える信号強度パラメータに応答して前記設定データを送信する段階と、
を更に含む請求項１０に記載の方法。
【請求項１９】
前記インターフェースユニットと関連する信号強度パラメータを測定する段階と、
所定の閾値を超える前記信号強度パラメータに応答して前記設定データに基づいて前記モバイル機器を設定する段階と、
を更に含む請求項１０に記載の方法。
【請求項２０】
モバイル機器において、
音声センサ及び映像センサのうちの少なくとも１つと、
前記音声センサ及び前記映像センサのうちの少なくとも１つに結合され、前記モバイル機器に近接したインターフェースユニットから前記音声センサ及び前記映像センサのうちの少なくとも１つを通して設定データが符号化された信号を受信し、且つ前記設定データに基づいて前記モバイル機器を設定するように適合された処理ユニットと、
を備えるモバイル機器。
【請求項２１】
前記処理ユニットが更に、前記モバイル機器の設定に応答して通信ネットワークとの接続を開始するように適合されていることを特徴とする請求項２０に記載のシステム。
【請求項２２】
前記処理ユニットが更に、前記通信ネットワークとの接続の開始に応答して前記通信ネットワークとの接続を通して前記インターフェースユニットに確認メッセージを送るように適合されていることを特徴とする請求項２１に記載のシステム。
【請求項２３】
前記処理ユニットが更に、前記モバイル機器の設定に応答して前記モバイル機器のユーザに確認信号を供給するように適合されていることを特徴とする請求項２０に記載のシステム。
【請求項２４】
前記確認信号が更に可聴信号を含むことを特徴とする請求項２３に記載のシステム。
【請求項２５】
前記モバイル機器がスピーカを有するヘッドセットを備え、前記処理ユニットが更に前記スピーカを通して前記可聴信号を送信するように適合されていることを特徴とする請求項２４に記載のシステム。
【請求項２６】
前記モバイル機器が前記処理ユニットに結合されたマイクロホンを有するヘッドセットを備え、前記処理ユニットが更に前記マイクロホンを通して前記信号を受信するように適合されていることを特徴とする請求項２０に記載のシステム。
【請求項２７】
前記モバイル機器が前記処理ユニットに結合されたセンサを有するヘッドセットを備え、前記処理ユニットが更に前記センサを通して前記信号を受信するように適合されていることを特徴とする請求項２０に記載のシステム。
【請求項２８】
前記信号が更に発話信号を含むことを特徴とする請求項２０に記載のシステム。
【請求項２９】
通信システムにおいて、
通信ネットワークと、
前記通信ネットワークに結合されたインターフェースユニットと、
モバイル機器と、
を備え、
前記モバイル機器が、該モバイル機器と前記インターフェースユニットとの間のクライアント間接続を開始し、前記クライアント間の接続を介して前記インターフェースユニットから設定データを受信し、更に前記設定データに基づいて前記モバイル機器を設定するように適合された処理ユニットを含むことを特徴とする通信システム。
【請求項３０】
前記処理ユニットが、前記モバイル機器の設定に応答して前記通信ネットワークとの接続を開始するように適合されていることを特徴とする請求項２９に記載のシステム。
【請求項３１】
前記処理ユニットが更に、前記通信ネットワークとの接続の開始に応答して前記通信ネットワークとの接続を通して前記インターフェースユニットに確認メッセージを送るように適合されていることを特徴とする請求項３０に記載のシステム。
【請求項３２】
前記処理ユニットが更に、前記モバイル機器の設定に応答して前記モバイル機器のユーザに確認信号を供給するように適合されていることを特徴とする請求項２９に記載のシステム。
【請求項３３】
前記確認信号が更に可聴信号を含むことを特徴とする請求項３２に記載のシステム。
【請求項３４】
前記モバイル機器がスピーカを有するヘッドセットを備え、前記処理ユニットが更に前記スピーカを通して前記可聴信号を供給するように適合されていることを特徴とする請求項３３に記載のシステム。
【請求項３５】
前記処理ユニットが更に、前記インターフェースユニットに公開鍵を送信するように適合されており、前記インターフェースユニットが前記設定データを前記処理ユニットに送信する前に前記公開鍵で前記設定データを暗号化するように適合されていることを特徴とする請求項２９に記載のシステム。
【請求項３６】
前記処理ユニットが更に、前記公開鍵で暗号化された設定データを、前記公開鍵に関連する秘密鍵を使用して復号化するように適合されていることを特徴とする請求項３５に記載のシステム。
【請求項３７】
前記インターフェースユニットが更に、前記モバイル機器に関連する信号強度パラメータを測定して、所定の閾値を超える前記信号強度パラメータに応答して前記設定データを送信するように適合されていることを特徴とする請求項２９に記載のシステム。
【請求項３８】
前記処理ユニットが更に、前記インターフェースユニットに関連する信号強度パラメータを測定し、所定の閾値を超える前記信号強度パラメータに応答して前記設定データに基づいて前記モバイル機器を設定するように適合されていることを特徴とする請求項２９に記載のシステム。
【請求項３９】
設定データが符号化された音声信号及び映像信号のうちの少なくとも１つをモバイル機器に近接するインターフェースユニットから受信する手段と、
前記設定データに基づいて前記モバイル機器を設定する手段と、
を備える装置。
【請求項４０】
モバイル機器と通信ネットワークに結合されたインターフェースユニットとの間のクライアント間接続を開始する手段と、
前記クライアント間接続を介して前記インターフェースユニットから設定データを受信する手段と、
前記設定データに基づいて前記モバイル機器を設定する手段と、
を備えるシステム。
【発明の詳細な説明】
【技術分野】
【０００１】
本発明は、一般に無線ネットワークに関し、より詳細にはモバイル機器を設定する方法及び装置に関する。
【背景技術】
【０００２】
無線ローカルエリアネットワーク（ＷＬＡＮ）は、有線ＬＡＮに代わるか、又は有線ＬＡＮを拡張して追加機能を提供することができる柔軟性のあるデータ通信システムである。従来の有線ローカルエリアネットワーク（ＬＡＮ）は、装置の一要素からケーブル又は電線をわたって別の要素にデータのパケットを送る。代わって無線ローカルエリアネットワーク（ＷＬＡＮ）は、データを転送するために無線波に依存する。データは、変調と呼ばれる処理により無線波に重畳され、その結果この搬送波が電線に代わって伝送媒体としての機能を果たす。
【０００３】
しかしながら、ＷＬＡＮの意義は、単に電線が存在しないことに留まらない。ＷＬＡＮの出現は、ネットワークインフラストラクチャの可能性の全く新しい定義を切り開くものである。インフラはもはや、固体で且つ固定する必要がなく、移動し難いものである必要がなく、更に変更するのに費用を要しない。代わりにインフラは、ユーザと共に移動し、編成の変更と同時に迅速に変えることができる。例えばビジネスマンは、会社の構内全体を移動する際に接続状態を維持したまま、有線ネットワークのリソースに容易に入ることができる。
【０００４】
無線ローカルエリアネットワーク技術は、コンピュータ業界の中で最も急成長している分野の１つとしてアナリストにより目標にされてきた。ＷＬＡＮは、縦横の様々な用途（例えば、小売、製造、物流、医療、教育、公共空間など）で使用されている。電気電子技術者協会（ＩＥＥＥ）によって承認された８０２．１１標準規格ファミリーを含む、様々な無線ネットワーク標準規格が普及するようになってきた。例示的なＩＥＥＥ８０２．１１標準規格には、８０２．１１、８０２．１１ａ、８０２．１１ｂ（Ｗｉ−Ｆｉとしても知られる）、及び８０２．１１ｇがある。
【０００５】
近年、無線インターネット接続サービスを提供するため、特に空港、ホテル、コーヒーショップなどをカバーする公共の「ホットスポット」において８０２．１１ベースの無線インフラネットワークが急成長している。今後は、音楽及び映像ストリーミング、並びに新しいロケーションベースのサービスなど要求の厳しいマルチメディア用途が更に急増することが見込まれる。
【０００６】
無線ネットワークを介したデータ及び音声の両方の通信を容易にする携帯デジタル機器が開発されている。かかる音声通信は、一般に、インターネットプロトコルを介した音声（ＶＯＩＰ）通信と呼ばれている。音声データはパケットに圧縮され、データパケットの処理と同様の方法で宛先に配信される。
【０００７】
無線ネットワーク上でモバイル機器を操作するためには、幾つかのネットワーク関連の設定項目を機器に入力する必要がある。この設定情報には、拡張サービスセット（ＥＳＳ）識別子、ユーザ名、パスワード、インターネットプロトコル（ＩＰ）アドレス、又は同様のものを含むことができる。その上、様々なアプリケーション特有の設定情報項目が必要となる場合もある。例えばＶＯＩＰ機器に関しては、追加の設定情報には、使用される呼制御プロトコル及び認証プロトコルを含む場合がある。
【０００８】
モバイル機器の中には、設定情報を入力することができる１つ又はそれ以上の周辺機器を有するものがある。例えば、キーパッド又はタッチスクリーン、及びディスプレイを設けることができる。また、設定データを入力するためのバーコードスキャナ、シリアルポート、及び／又はプラグインカードが存在する場合もある。
【０００９】
無線インターフェースの大きさ及びコストが削減されるに従い、特定の機能に特化した新しい部類の機器が提案されている。これらの機器には、音声ヘッドセット、コールボタン、バーコードスキャナなどがある。通常、これらの機器が有する周辺機器は限定されており、設定情報の入力を不可能ではないにしても少なくとも厄介なものにしている。例えば、１から３までのキーしかなく、及び／又は画像ディスプレイが存在しない。シリアルポートもプラグインインターフェースもない場合がある。それでもこうした機器の設定は必要であるが、周辺機器の不足により困難なものとなっている。
【発明の開示】
【発明が解決しようとする課題】
【００１０】
本発明は、上述の問題の１つ又はそれ以上を克服すること、又は少なくともその影響を軽減することを対象としている。
【課題を解決するための手段】
【００１１】
本発明の１つの態様は、設定データが符号化された音声信号及び映像信号のうちの少なくとも１つをモバイル機器に近接するインターフェースユニットから受信する段階と、設定データに基づいてモバイル機器を設定する段階とを含む、モバイル機器を設定する方法において見られる。
【００１２】
別の実施形態では、本方法は、モバイル機器と通信ネットワークに結合されたインターフェースユニットとの間でクライアント間接続を開始する段階と、クライアント間接続を介してインターフェースユニットから設定データを受信する段階と、設定データに基づいてモバイル機器を設定する段階とを含む。
【００１３】
本発明の別の態様は、音声センサ及び映像センサのうちの少なくとも１つと、音声センサ及び映像センサのうちの少なくとも１つに結合された処理ユニットとを備えるモバイル機器に見られる。処理ユニットは、モバイル機器に近接したインターフェースユニットから音声センサ及び映像センサのうちの少なくとも１つを介して設定データが符号化された信号を受信し、該設定データに基づいてモバイル機器を設定するように適合されている。
【００１４】
本発明の更に別の態様は、通信ネットワークと、通信ネットワークに結合されたインターフェースユニットと、モバイル機器とを含む通信システムにおいて見られる。モバイル機器は、モバイル機器とインターフェースユニットとの間のクライアント間の接続を開始し、クライアント間の接続を通してインターフェースユニットから設定データを受信し、更に設定データに基づいてモバイル機器を設定するように適合されている処理ユニットを含む。
【発明を実施するための最良の形態】
【００１５】
本発明は、同じ参照符号が同じ要素を示す添付図面と併せて以下の説明を参照することにより理解されるであろう。
本発明は、様々な修正及び代替形態が可能であるが、その特定の実施形態を図面において例証として示し、本明細書で詳細に説明する。しかしながら、特定の実施形態に関する本明細書の説明は、開示される特定の形態に本発明を限定するものではなく、むしろ添付の請求項で定義される本発明の精神及び範囲内に含まれるあらゆる修正、均等物、及び代替物を保護するものである点を理解されたい。
【００１６】
本発明の例示的な実施形態を以下に説明する。明確にするために、本明細書では実際に実装されるあらゆる特徴を説明している訳ではない。勿論、こうした実際のあらゆる実施形態の開発においては、実装毎に異なる、システム関連及びビジネス関連の制約を順守することなどの開発者の特定の目標を達成するために、多数の実装固有の決定を行う必要があることは理解されるであろう。更に、かかる開発努力は複雑で時間を要する可能性があるが、それでもこの開示事項の利益を有する当業者には日常的な取り組みであることは理解されるであろう。
【００１７】
ここで図を参照し、最初に図１を見ると、本発明の１つの実施形態による通信システム１００の簡略化したブロック図が提供されている。モバイル機器１１０は、ネットワーク１２０にアクセスするために接続１１５（例えば８０２．１１タイプの接続）を確立しようとするが、かかるアクセスを確保する前に、モバイル機器１１０は、ネットワーク１２０に関連する、又は該ネットワーク１２０を介してモバイル機器１１０がアクセスしようとしている特定のアプリケーションに関連する設定データを備える必要がある。例えば、設定データは、拡張サービスセット（ＥＳＳ）識別子、ユーザ名、パスワード、インターネットプロトコル（ＩＰ）アドレス、呼制御プロトコルの選択、及び認証プロトコルの選択を含むことができる。しかしながら、このようなデータの要件は実装固有のものであるので、本発明の適用はいかなる特定の設定データにも限定されない。幾つかの実施形態では、モバイル機器１１０は、ネットワーク１２０とインターフェースするためにインターネットプロトコルを介した音声（ＶＯＩＰ）を利用することができる。
【００１８】
当業者は、無線ネットワークの構成、かかるネットワークにアクセスするためのコマンド及びプロトコル、並びにモバイル機器１１０とネットワークとの間の通信を可能にするのに必要な設定データの種類に精通している。従って、明確にするため及び本発明を曖昧にするのを避けるために、図示の実施形態を実装する本態様に関して更なる詳細は提供しない。
【００１９】
図１に示した実施形態では、モバイル機器１１０は、設定データ１４０を受信するために接続１３５を介してインターフェースユニット１３０と通信する。かかる設定に続いて、モバイル機器１１０は、接続１１５を確立することによってネットワーク１２０に直接アクセスするように構成することができる。モバイル機器１１０とインターフェースユニット１３０との間の接続１３０の種類は、以下に提供する例示的な実施形態で説明されるように様々とすることができる。
【００２０】
次に図２を参照すると、図１の通信システム１００でモバイル機器１１０として機能することができるヘッドセット２００の図が提供されている。本発明の適用は、ヘッドセット２００を構成するために本発明を実装することができるものとして説明されているが、本発明はこれに限定されず、何種類ものモバイル機器１１０に適用することができる。ヘッドセット２００は、ハウジング２１０を含み、そこから耳当て部２２０が延び、これによりユーザが耳の上にヘッドセット２００を装着することができる。ハウジング２１０はまた、スピーカ２３０を支持している。マイクロホン２５０で終端するブーム２４０がハウジング２１０から延びている。図１のネットワーク１２０と通信するのに必要なコンピュータ処理機能を実施するために、処理ユニット２６０が設けられている。幾つかの実施形態では、図１のインターフェースユニット１３０との接続１３５を確立するために、センサ２７０を設けることができる。
【００２１】
図３は、図２のヘッドセット２００で使用された処理ユニット２６０の簡略化したブロック図である。処理ユニット２６０は、ネットワーク１２０を介して通信するために必要なプロトコルを実装するためのプログラム命令を実行するプロセッサ３００を含む。プロセッサ３００は、以下に特定の実施形態で説明するように、インターフェースユニット１３０から設定データ１４０を受信するためにマイクロホン２５０又はセンサ２７０とインターフェースで接続する。説明を明確且つ簡単にするために、ネットワーク１２０を介して通信し、スピーカ２３０及びマイクロホン２５０を利用可能にするプロセッサ３００の機能は、これ以上詳細には説明しない。プロセッサ３００は、汎用プロセッサ、デジタル信号プロセッサ、特定用途向け集積回路などといった様々なタイプを含むことができる。利用可能な１つの例示的なプロセッサ３００は、ＴＭＳ３２０ＶＣ５４７０であり、これはテキサス州ダラスのＴｅｘａｓ  Ｉｎｓｔｒｕｍｅｎｔｓ  Ｉｎｃ．が提供するＴＩ  ＤＳＰ  ＣＰＵ及びＡＲＭ７ＴＤＭＩマイクロコントローラ（ＭＣＵ）を含む。勿論、同様にテキサス州ダラスのＴｅｘａｓ  Ｉｎｓｔｒｕｍｅｎｔｓ  Ｉｎｃ．が提供するＴＩ５４７０など、多種多様のプロセッサ３００を使用してもよく、本発明の適用は特定の種類又はモデルに限定されない。プロセッサ３００は、受信する設定データ１４０、プログラム命令、送受信データ、その他などのアイテムを記憶するための内部メモリ３１０及び／又は外部メモリ３２０を含むことができる。メモリ３１０、３２０の少なくとも一部は、電源損失又は機器のリセット時に設定データ１４０が消去されないように、不揮発性（例えばフラッシュメモリ）とすることができる。
【００２２】
一時的に図１に戻ると、インターフェースユニット１３０は、種々の形態をとることができる。例えば、インターフェースユニット１３０は、ノートパソコン、携帯情報端末（ＰＤＡ）、デスクトップコンピュータ、又は他の機器などのネットワーク１３０上の別のクライアントを含むことができる。インターフェースユニット１３０は、有線接続又は無線接続を通じてネットワーク１２０に接続することができる。幾つかの実施形態では、インターフェースユニット１３０は、ネットワーク１２０を実際に実装することができる。例えば、ネットワーク１２０は、無線アクセスポイントとして機能することを可能にするハードウェアを含むデスクトップコンピュータを備えることができる。モバイル機器１１０は、図示のようにネットワーク１２０に直接接続するのではなく、通信用インターフェースユニット１３０を介してネットワーク１２０に接続することができる。
【００２３】
ここで図４を参照すると、本発明によるモバイル機器（例えばヘッドセット２００）をインターフェースユニット１３０のディスプレイ４００とインターフェースで接続する技術の第１の実施形態が示されている。設定データ１４０をヘッドセット２００に伝達するために、ディスプレイ４００上に視覚パターンを示すことができる。設定データは、幾つかの方法で表示することができる。例えば、設定データは、信号装置（モールス符号など）と同様に、一連の光の点滅として符号化することができる。第２の技術は、バーコードと同様の移動パターンを提供することとすることができる。
【００２４】
このような実施形態では、センサ２７０は視覚信号を受信するために利用される。センサ２７０は、ハウジング２１０内のレンズ（図示せず）又は穴（図示せず）の後方に配置されたフォトセルを含むことができる。ヘッドセット２００のユーザは、センサ２７０が表示されるパターンを検出することができるように、ヘッドセット２００をディスプレイ４００に近接近させて配置することができる。ヘッドセット２００は、設定データ１４０を受信した後、プロセッサ３００が使用するプロトコル及びアドレスを構成することができる。次いで、プロセッサ３００は、ネットワーク１２０と接続１１５（図１に示す）を確立し、ネットワーク１２０を通じて設定メッセージ（例えば８０２．１１メッセージ）をインターフェースユニット１３０（例えばディスプレイ４００又はディスプレイ４００を含むコンピュータシステム）に送ることができる。或いは、プロセッサ３００は、スピーカ２３０からの可聴ビープ音などを通じて設定成功のローカル表示をユーザに供給することができる。
【００２５】
設定手順は、所定回数の間繰り返すことができ、設定が許容時間間隔内で適切に完了しなかった場合にユーザに通知することができる。例えば、設定データのエラーが、接続１１５の確立を妨げる場合がある。
【００２６】
図５は、本発明によりモバイル機器（例えばヘッドセット２００）をインターフェースユニット１３０の音源（例えばスピーカ）５００とインターフェースで接続する技術の第２の実施形態を示している。設定データ１４０をヘッドセット２００に伝達するために、音声パターンがスピーカ５００から出されてマイクロホンで受信される。設定データは、幾つかの方法で音声により伝達することができる。例えば、設定データは、周波数偏移変調（ＦＳＫ）を用いてスピーカ５００上に音として再生される音声シーケンスに符号化することができる。勿論、音響モデム（例えば３００〜２４００ボー）信号又はモールス符号信号など、他の変調技術を使用することもできる。幾つかの実施形態では、ヘッドセット２００は、言語認識機能を備えることができる。インターフェースユニット１３０は、設定データの画像（例えば画面又はプリントアウト）表示をユーザに与えることができる。ユーザは、設定データをスピーカ５００に向かって話しかけることができる。プロセッサ３００は、ユーザからの発話信号中の文字、単語、又は数字を検出することができ、そこから設定データを引き出すことができる。幾つかの実施形態では、認可されたユーザのみが機器を設定してネットワーク１２０にアクセスすることができるように、プロセッサ３００は、声紋分析を行ってユーザを認証することができる。
【００２７】
図４の実施形態と同様に、ヘッドセット２００のユーザは、マイクロホン２５０が可聴パターンを検出できるように、ヘッドセット２００を音源５００に近接近して配置することができる。この場合もまた、ヘッドセット２００は、設定データ１４０を受信した後、プロセッサ３００が使用するプロトコル及びアドレスを設定することができる。次いで、プロセッサ３００は、ネットワーク１２０との接続１１５（図１に示す）を確立し、ネットワーク１２０との接続が成功したことを示すネットワークメッセージ又は可聴ビープ音などの確認メッセージを送信することができる。設定手順は、所定回数の間繰り返すことができ、設定が許容時間間隔内で適切に完了しなかった場合は、ユーザに通知することができる。
【００２８】
設定データ１４０をモバイル機器１１０に伝達する第３の技術を図１を参照して説明する。典型的な操作モードでは、モバイル機器１１０などのユーザは、指定されたアクセスポイント又はゲートウェイと介してネットワーク１２０に接続する。あるユーザが第２のユーザと通信することを望む場合、かかる通信はあるユーザからアクセスポイントを通りネットワーク１２０を経由して受信され、次いで同様にアクセスポイントを通って第２のユーザに伝送される。基本的にネットワーク１２０は、クライアント間の仲介装置として働く。
【００２９】
無線ネットワークのプロトコルは、場合によってはクライアント間接続モードを定義することがあり、この場合、媒介機能は迂回され、クライアントは互いに直接通信する。８０２．１１標準規格によれば、クライアント間モードは、独立基本サービスセット（ＩＢＳＳ）モードと呼ばれる。この特定の実施形態では、接続１３５は、モバイル機器１１０とインターフェースユニット１３０との間のクライアント間接続である。モバイル機器１１０は、添付する設定要求と共に公開鍵を同報通信する。インターフェースユニット１３０は、設定要求及び公開鍵を受信すると、公開鍵を用いて設定データ１４０を暗号化する。モバイル機器１１０は、暗号化された設定データ１４０を受信して、これに関連する秘密鍵を用いて復号化する。次いで、モバイル機器１１０は、設定データを用いて、ネットワークとの接続１１５を確立することができる。同様に、モバイル機器１１０は、（例えばネットワーク接続１１５、クライアント間接続１３５、又は可聴ビープ音を通して）確認又はタイムアウトメッセージをユーザに送信することができる。
【００３０】
クライアント間の実施形態では、インターフェースユニット１３０以外の何らかの他のエンティティ（図示せず）がモバイル機器１１０に関連するアドレスを使用して不正な公開鍵を送信する可能性がある。このような場合、インターフェースユニット１３０は、欺かれて極秘のカウント情報（例えばユーザ名及び／又はパスワード）を侵入者に送信してしまう可能性がある。この可能性に対処するために、ユーザは、モバイル機器１１０をインターフェースユニット１３０に近接近して（例えば数インチ）配置するよう求められる場合がある。インターフェースユニット１３０は、アクセス要求に対して受信信号強度表示（ＲＳＳＩ）パラメータを測定し、所定の閾値と比較する。モバイル機器１１０が、インターフェースユニット１３０から数インチしか離れていない場合、ＲＳＳＩは最大値となるはずである。無線波伝播の物理的性質の結果として、かかる強い信号は通常、極めて近接近した機器によってのみ生成することができる。わずか数フィート離れた機器又は高指向性アンテナを使用する機器は、かかる高ＲＳＳＩ値を生成することができない。従って、インターフェースユニット１３０は、低ＲＳＳＩ値に基づき侵入の可能性を識別することができる。またモバイル機器１１０は、同様のＲＳＳＩ技術を利用して、設定データを含むインターフェースユニット１３０からの通信を認証することができる。
【００３１】
本明細書の教示を利用できる当業者には明らかなように、異なるが等価な方法で本発明を修正及び実施することができることから、上記で開示された特定の実施形態は例証に過ぎない。更に、添付の請求項に記載した以外、本明細書で示された構成又は設計の詳細に限定されるものではない。従って、上記で開示された特定の実施形態は、変更又は修正することができ、このような変形は全て本発明の範囲及び精神の範囲内であるとみなされることは明らかである。よって、本明細書で求められる保護は、添付の請求項に記載のものである。
【図面の簡単な説明】
【００３２】
【図１】本発明の１つの実施形態による通信システムの図である。
【図２】図１の通信システムでモバイル機器として機能することができるヘッドセットの図である。
【図３】図２のヘッドセットに使用される処理ユニットの簡略化したブロック図である。
【図４】設定データの通信を容易にするためにディスプレイとインターフェースで接続する図２のヘッドセットを示す図である。
【図５】設定データの通信を容易にするために音源とインターフェースで接続する図２のヘッドセットを示す図である。
【符号の説明】
【００３３】
１００  通信システム
１１０  モバイル機器
１１５  接続
１２０  ネットワーク
１３０  インターフェースユニット
１４０  設定データ
【図１】
2007529956.tif 000003
【図２】
2007529956.tif 000004
【図３】
2007529956.tif 000005
【図４】
2007529956.tif 000006
【図５】
2007529956.tif 000007
【国際調査報告】
2007529956.tif 000008
2007529956.tif 000009
2007529956.tif 000010